(57)【要約】【課題】  ステイプルモードと挿入モードが同時に選択された際のユーザの挿入シートの載置ミスを防止する。【解決手段】  設定されたステイプル箇所によって画像形成したシートと挿入したシートの向きが不一致となる場合に、警告の表示やステイプル処理の解除、ステイプル処理の再設定などをおこなう。もしくは最終頁から画像形成しフェイスアップ積載することによりステイプル処理を実行する。【選択図】  図２６
2005173481.tif 000002
【特許請求の範囲】
【請求項１】
画像データを入力する入力手段、
入力手段により入力された画像データに基づいてシートに画像形成を行う画像形成手段、
画像形成手段により画像形成されたシートに後処理を行う後処理手段、
画像形成手段により画像形成されているシートの間に、シートを挿入する挿入モード、
画像形成手段により画像形成されたシート、及び、挿入されたシートに対して後処理手段により後処理を行う後処理モード、
画像形成手段により画像形成されたシート、及び、挿入されたシートが排出され積載される積載手段、
挿入モード、及び、後処理モードの設定を行う設定手段、
挿入モードが設定された場合、画像形成手段により画像形成されたシートと挿入されたシートが積載手段上で向きが一致するか否かを判定する判定手段、
判定手段により不一致と判定された場合、画像形成手段により画像形成されたシートと挿入されたシートの向きが不一致となることを表示する表示手段と表示を行う制御手段
を有することを特徴とする画像形成装置。
【請求項２】
画像データを入力する入力手段、
入力手段により入力された画像データに基づいてシートに画像形成を行う画像形成手段、
画像形成手段により画像形成されたシートに後処理を行う後処理手段、
画像形成手段により画像形成されているシートの間に、シートを挿入する挿入モード、
画像形成手段により画像形成されたシート、及び、挿入されたシートに対して後処理手段により後処理を行う後処理モード、
画像形成手段により画像形成されたシート、及び、挿入されたシートが排出され積載される積載手段、
挿入モード、及び、後処理モードの設定を行う設定手段、
挿入モードが設定された場合、画像形成手段により画像形成されたシートと挿入されたシートが積載手段上で向きが一致するか否かを判定する判定手段、
判定手段により不一致と判定された場合、設定手段が後処理モードの設定を解除する制御手段
を有することを特徴とする画像形成装置。
【請求項３】
画像データを入力する入力手段、
入力手段により入力された画像データに基づいてシートに画像形成を行う画像形成手段、
画像形成手段により画像形成されたシートに後処理を行う後処理手段、
画像形成手段により画像形成されているシートの間に、シートを挿入する挿入モード、
画像形成手段により画像形成されたシート、及び、挿入されたシートに対して後処理手段により後処理を行う後処理モード、
画像形成手段により画像形成されたシート、及び、挿入されたシートが排出され積載される積載手段、
挿入モード、及び、後処理モードの設定を行う設定手段、
挿入モードが設定された場合、画像形成手段により画像形成されたシートと挿入されたシートが積載手段上で向きが一致するか否かを判定する判定手段、
判定手段により不一致と判定された場合、設定手段で後処理モードの再設定を行わせる制御手段
を有することを特徴とする画像形成装置。
【請求項４】
請求項３の画像形成装置において、
後処理モードの再設定を行う際、画像形成手段により画像形成されるシートと挿入されるシートが積載手段上で向きが不一致となる後処理モードを選択禁止とする制御手段
を有することを特徴とする画像形成装置。
【請求項５】
画像データを入力する入力手段、
入力手段により入力された画像データに基づいてシートに画像形成を行う画像形成手段、
画像形成手段により画像形成されたシートに後処理を行う後処理手段、
画像形成手段により画像形成されているシートの間に、シートを挿入する挿入モード、
画像形成手段により画像形成されたシート、及び、挿入されたシートに対して後処理手段により後処理を行う後処理モード、
画像形成手段により画像形成されたシート、及び、挿入されたシートが排出され積載される積載手段、
挿入モード、及び、後処理モードの設定を行う設定手段、
画像形成面を上向きにして積載を行う制御手段、入力手段によって入力されたデータをメモリに蓄積し、最終頁から画像形成を行う手段と挿入モードが設定された場合、画像形成手段により画像形成されたシートと挿入されたシートが積載手段上で向きが一致するか否かを判定する判定手段、
判定手段により不一致と判定された場合、積載手段へ排出するシートの表裏を、一致した場合の排出方向に対して反転させる制御手段
を有することを特徴とする画像形成装置。
【請求項６】
請求項１から３、および５の画像形成装置において、
挿入モードが設定された場合、後処理モード設定時に画像形成手段により画像形成されたシートと挿入されたシートが積載手段上で向きが不一致となる後処理モードを選択不可にする制御手段
を有することを特徴とする画像形成装置。
【請求項７】
請求項１から６の画像形成装置において、設定手段により設定された後処理モードに応じて、入力手段により入力された画像データを任意の方向に回転可能な画像回転手段を有することを特徴とする画像形成装置。
【発明の詳細な説明】
【技術分野】
【０００１】
本発明は、複写機、レーザービームプリンタなどの画像形成装置に関し、表紙、合紙、裏表紙等の特殊紙を挿入する事が可能な画像形成装置に関する。
【背景技術】
【０００２】
従来、画像形成装置で出力される用紙束の特定の頁のみ色紙、OHP、予め印刷された紙（プレプリント紙）などを挿入する、また、白黒出力のみ可能な画像形成装置で作成される用紙束にカラー出力の用紙を挿入することが可能な複写機などの画像形成装置が提供されている。また、これらの装置では用紙束の先頭頁にシートを挿入する表紙モード、用紙束の最終頁にシートを挿入する裏表紙モード、用紙束の先頭頁と最終頁の間にシートを挿入する合紙モードなど任意の頁に挿入可能になっている。
【０００３】
これらの装置では、画像形成装置の記録紙を収納するカセットの内いずれかを表紙などの挿入するシート専用カセットに設定し、挿入する頁でない場合は挿入シート専用カセット以外から記録紙を給紙し、挿入する頁の順番になると設定された専用カセットから給紙を行っている。そして、全てのシートはシートに画像を形成する画像形成部を搬送されるが、記録紙に対しては画像形成を行い、表紙合紙などとして挿入されるシートに対しては画像形成を行わないようにしている。
【０００４】
別の方法として、画像形成装置の排出口にシート挿入装置（インサータ）を接続する方法がある。インサータには挿入するシートを収納するカセットが設けられており、画像形成装置から画像形成済みの記録紙を受け取り、任意の記録紙の間にインサータ内のカセットから給紙したシートを挿入した後、インサータの排出口で表紙、合紙などが挿入された用紙束が作成できる（例えば、特開２０００−２１１８０３号公報参照）。
【０００５】
また、画像形成装置に接続され用紙の揃え動作や綴じ処理を行うフィニッシャにカセットを設け、フィニッシャとインサータの両方の機能を組み合わせた後処理装置もある。
【０００６】
また、画像形成装置にはメモリなどの画像データ保持手段によりいったん保持した画像を用紙サイズや向きに合わせて回転処理を行ってから画像形成処理を行うものがある。この画像回転処理を綴じ処理などの後処理と組み合わせることで、装置としてはある決まった位置にしか施せない後処理を任意の位置に施すことが可能となっている。また、綴じ処理設定時に、綴じ処理が行えない箇所を設定できないようにする画像形成装置もある。
【０００７】
また、画像形成したシートを画像形成面を上向き（フェイスアップ）の状態で積載し、排出する画像装置がある。フェイスアップで積載を行う際は頁順を合わせるため、最終頁から画像形成を行う。
【発明の開示】
【発明が解決しようとする課題】
【０００８】
しかしながら、前記画像形成装置において、後処理とシートの挿入が同時に行われた際、指定した後処理箇所によって画像回転処理が行われ、画像形成が行われたシートと挿入したシートの向きが不一致となることがある。
【０００９】
そこで本発明では、前記画像形成装置において、シートを挿入する処理と後処理が組み合わせて行われる際の、画像形成が行われたシートと挿入したシートの向きの不一致を防止することを目的とする。
【課題を解決するための手段】
【００１０】
本発明の目的は上記問題に鑑みたものであり、上記目的を達成するため、本発明に係る第1の発明は、画像データを入力する入力手段、入力手段により入力された画像データに基づいてシートに画像形成を行う画像形成手段、画像形成手段により画像形成されたシートに後処理を行う後処理手段、画像形成手段により画像形成されているシートの間に、シートを挿入する挿入モード、画像形成手段により画像形成されたシート、及び、挿入されたシートに対して後処理手段により後処理を行う後処理モード、画像形成手段により画像形成されたシート、及び、挿入されたシートが排出され積載される積載手段、挿入モード、及び、後処理モードの設定を行う設定手段、挿入モードが設定された場合、画像形成手段により画像形成されたシートと挿入されたシートが積載手段上で向きが一致するか否かを判定する判定手段、判定手段により不一致と判定された場合、画像形成手段により画像形成されたシートと挿入されたシートの向きが不一致となることを表示する表示手段と表示を行う制御手段を有することを特徴とする。
【００１１】
本発明に係る第２の発明は、画像データを入力する入力手段、入力手段により入力された画像データに基づいてシートに画像形成を行う画像形成手段、画像形成手段により画像形成されたシートに後処理を行う後処理手段、画像形成手段により画像形成されているシートの間に、シートを挿入する挿入モード、画像形成手段により画像形成されたシート、及び、挿入されたシートに対して後処理手段により後処理を行う後処理モード、画像形成手段により画像形成されたシート、及び、挿入されたシートが排出され積載される積載手段、挿入モード、及び、後処理モードの設定を行う設定手段、挿入モードが設定された場合、画像形成手段により画像形成されたシートと挿入されたシートが積載手段上で向きが一致するか否かを判定する判定手段、判定手段により不一致と判定された場合、設定手段が後処理モードの設定を解除する制御手段を有することを特徴とする。
【００１２】
本発明に係る第３の発明は、画像データを入力する入力手段、入力手段により入力された画像データに基づいてシートに画像形成を行う画像形成手段、画像形成手段により画像形成されたシートに後処理を行う後処理手段、画像形成手段により画像形成されているシートの間に、シートを挿入する挿入モード、画像形成手段により画像形成されたシート、及び、挿入されたシートに対して後処理手段により後処理を行う後処理モード、画像形成手段により画像形成されたシート、及び、挿入されたシートが排出され積載される積載手段、挿入モード、及び、後処理モードの設定を行う設定手段、挿入モードが設定された場合、画像形成手段により画像形成されたシートと挿入されたシートが積載手段上で向きが一致するか否かを判定する判定手段、判定手段により不一致と判定された場合、設定手段で後処理モードの再設定を行わせる制御手段を有することを特徴とする。
【００１３】
本発明に係る第４の発明は、画像データを入力する入力手段、入力手段により入力された画像データに基づいてシートに画像形成を行う画像形成手段、画像形成手段により画像形成されたシートに後処理を行う後処理手段、画像形成手段により画像形成されているシートの間に、シートを挿入する挿入モード、画像形成手段により画像形成されたシート、及び、挿入されたシートに対して後処理手段により後処理を行う後処理モード、画像形成手段により画像形成されたシート、及び、挿入されたシートが排出され積載される積載手段、挿入モード、及び、後処理モードの設定を行う設定手段、画像形成面を上向きにして積載を行う制御手段、入力手段によって入力されたデータをメモリに蓄積し、最終頁から画像形成を行う手段と挿入モードが設定された場合、画像形成手段により画像形成されたシートと挿入されたシートが積載手段上で向きが一致するか否かを判定する判定手段、判定手段により不一致と判定された場合、積載手段へ排出するシートの表裏を、一致した場合の排出方向に対して反転させる制御手段を有することを特徴とする。
【発明の効果】
【００１４】
以上説明したように、本発明では、表紙合紙モードとステイプルモードが組み合わせて選択された場合において、画像回転により挿入したシートと記録紙の向きが不一致となる可能性のある場合、その旨を警告する画面を表示する、またはステイプルモードの設定を解除する、もしくはステイプルモードの再設定を行うことで、挿入したシートと記録紙の向きの不一致を防止することが出来る。
【００１５】
また、表紙合紙モードとステイプルモードが組み合わせて選択された場合において、画像回転により挿入したシートと記録紙の向きが不一致となる可能性のある場合、入力されたデータの最終頁から画像形成を行い、フェイスアップで積載することにより、挿入したシートと記録紙の向きを一致させることができる。
【発明を実施するための最良の形態】
【００１６】
以下に本発明の実施の形態について図を参照しながら説明する。
【００１７】
（第一の実施形態）
（全体構成）
図１は本発明の画像形成装置の実施の一形態の主要部構成を示す縦断面図である。
【００１８】
画像形成装置１０は、図１に示すように、プリンタ１００およびイメージリーダ２００を備える画像形成装置本体と、フィニッシャ５００とから構成される。
【００１９】
イメージリーダ２００には、原稿給送装置４００が搭載されている。原稿給送装置４００は、原稿トレイ上に上向きにセットされた原稿を先頭頁から順に１枚づつ左方向へ給紙し、湾曲したパスを介してプラテンガラス２０１所定位置に停止させ、この状態でスキャナユニット２０２を左から右へ走査させることにより原稿を読み取る。スキャナユニット２０２が走査する際に、原稿の読み取り面がスキャナユニット２０２のランプの光で照射され、その原稿からの反射光がミラーを介してレンズに導かれる。このレンズを通過した光は、イメージセンサ２０３の撮像面に結像する。光学的に読み取られた画像はイメージセンサ２０３によって画像データに変換されて出力される。イメージセンサ２０３から出力された画像データは、後述する画像信号制御部２８１において所定の処理が施された後にプリンタ１００の露光制御部１２０にビデオ信号として入力される。
【００２０】
図３を参照しながら用紙の片面に画像形成を行う片面モードの場合について説明する。プリンタ１００の露光制御部１２０は、入力されたビデオ信号に基づきレーザ光を変調して出力し、該レーザ光は図示しないポリゴンミラー等により走査されながら感光ドラム１１５上に照射される。感光ドラム１１５には走査されたレーザ光に応じた静電潜像が形成される。
【００２１】
この感光ドラム１１５上の静電潜像は、現像器１１７から供給される現像剤によって現像剤像として可視像化される。また、各カセット１０１ａ〜１０１ｄ、または、手差給紙トレイ１０５から搬送パス１４７に導かれ給紙された用紙は、レジストローラ１１３に用紙先端を突き当てられ、一旦停止した後、レーザ光の照射開始と同期したタイミングで、この用紙は感光ドラム１１５と転写部１１８との間に搬送される。感光ドラム１１５に形成された現像剤像は転写部１１８により給紙された用紙上に転写される。また、レジストローラ１１３に用紙先端を突き当てられて一旦停止することで、用紙の傾きを補正している。
【００２２】
現像剤像が転写された用紙は定着部１２１に搬送され、定着部１２１は用紙を熱圧することによって現像剤像を用紙上に定着させる。定着部１２１を通過した用紙はフラッパ１３３により、搬送パス１４２へ導かれ、排出ローラ１１１を経てプリンタ１００から外部（フィニッシャ５００）に向けて排出される。この時、用紙は画像形成面が下向きになる状態（フェイスダウン）で排出されるので、先頭頁から順に画像形成が行われると、排紙後の用紙順序は正しい頁順になる。
【００２３】
更に、図４〜図１０を参照しながら用紙の両面に画像形成を行う両面モードが設定されている場合について説明する。片面モードと同様に、各カセット１０１ａ〜１０１ｄ、または、手差給紙トレイ１０５から搬送パス１４７に導かれ給紙された用紙は、レジストローラ１１３に用紙先端を突き当てられた後、感光ドラム１１５と転写部１１８との間に搬送され、定着部１２１を通過して一方の面に画像形成が行われる。この用紙は、搬送パス１４１からフラッパ１３３が切り替わり、搬送パス１４３へと導かれ、反転ローラ１１２に用紙がニップされた状態で停止する（図４参照）。
【００２４】
そして、フラッパ１３２が切り替えられ、反転ローラ１１２が逆転駆動され、用紙は搬送パス１４３から両面搬送パス１４５へと導かれた（図５参照）後、フラッパ１３１により搬送パス１４６に導かれ、再度、先端をレジストローラ１１３に突き当てて停止する（図６参照）。この時点で、用紙の表裏が反転している。
【００２５】
その後、観光ドラム１１５と転写部１１８との間に再度給紙し、定着部１２１を経由して、用紙のもう一方の面に画像形成が行われた（図７参照）後、フラッパ１３３が切り替わり搬送パス１４１から搬送パス１４２へ導かれ、排出ローラ１１１を経てプリンタ１００から外部（フィニッシャ５００）に向けて排出される（図８〜図１０）。
【００２６】
この時、一枚の用紙に対して後から画像形成した面が下向きになる状態で排出されるので、図１１に示すようにプリンタ１００から外部に排出された時の頁順を合わせる為に、用紙の裏面に対する画像形成を先行して行う。
【００２７】
また、図４〜図１０に示すように複数枚の用紙に対して両面に画像形成を行う場合、本実施例では、複数枚の用紙に対する画像形成を並列して行っているが、一枚の用紙に対して表裏両面の画像形成をした後、次の用紙に対する画像形成を開始しても良い。
【００２８】
プリンタ１００から排出された用紙はフィニッシャ５００に送られる。フィニッシャ５００の排出ローラ５０１により束排紙ベルト５０３上へ排出する。束排紙ベルト５０３に並行して数ミリ高い位置に低摩擦の中間処理トレイが設けられており、正確には用紙は中間処理トレイ上に排出される。排出された用紙は斜めに設けられた中間処理トレイ（束排紙ベルト５０３）に沿って自重で右下方向に落下する。更に、扇形の戻しローラ５０２が半時計方向に回転することにより、戻しローラ５０２の円弧に設けられた摩擦部材が用紙に当接し、この摩擦部材も用紙を右下方向に落下される作用をし、用紙の端部をストッパ板５０４に突き当てさせる。これにより用紙の縦方向（送り方向）の揃え動作が行われる。
【００２９】
また、中間処理トレイ上には手前側と奥側に整合板５０６が設けられ、中間処理トレイ上に用紙が排出される毎に駆動され、中間処理トレイ上の用紙に対して、横方向（幅方向）の揃え動作が行われる。
【００３０】
そして、所定枚数の用紙が中間処理トレイ上に排出され積載されると、束排紙ベルト５０４が駆動されスタックトレイ５０７上へと排出される。ステイプル処理が指定されている場合は、ステイプルを行う一束分の用紙が中間処理トレイ上に排出され、整合板５０６により用紙の揃え動作が行われた後、ステイプラ５０４を駆動してステイプル動作を行い、束排紙ベルト５０４によりスタックトレイ５０７上へと排出する。
【００３１】
また、ステイプラ５０４は、中間処理トレイ上の用紙に対して、横方向に移動可能であり、手前側と奥側の任意の位置でステイプル動作が可能である。
【００３２】
（システムブロック図）
次に、本画像形成装置全体の制御を司るコントローラの構成について図２を参照しながら説明する。図２は図１の画像形成装置全体の制御を司るコントローラの構成を示すブロック図である。
【００３３】
コントローラは、図２に示すように、ＣＰＵ回路部１５０を有し、ＣＰＵ回路部１５０は、ＣＰＵ（図示せず）、ＲＯＭ１５１、ＲＡＭ１５２を内蔵し、ＲＯＭ１５１に格納されている制御プログラムにより各ブロック４８０、２８０、２８１、２８２、２８３、１８０、６８０、５８０を総括的に制御する。ＲＡＭ１５２は、制御データを一時的に保持し、また制御に伴う演算処理の作業領域として用いられる。
【００３４】
原稿給送装置制御部４８０は、原稿給送装置４００をＣＰＵ回路部１５０からの指示に基づき駆動制御する。イメージリーダ制御部２８０は、上述のスキャナユニット２０２、イメージセンサ２０３などに対する駆動制御を行い、イメージセンサ２０３から出力されたアナログ画像信号を画像信号制御部２０２に転送する。
【００３５】
画像信号制御部２８１は、イメージセンサ２０３からのアナログ画像信号をデジタル信号に変換した後に各処理を施し、このデジタル信号をビデオ信号に変換してプリンタ制御部１８０に出力する。また、コンピュータ２８３から外部Ｉ／Ｆ２８２を介して入力されたデジタル画像信号に各種処理を施し、このデジタル画像信号をビデオ信号に変換してプリンタ制御部１８０に出力する。この画像信号制御部２８１による処理動作は、ＣＰＵ回路部１５０により制御される。プリンタ制御部１８０は、入力されたビデオ信号に基づき上述の露光制御部１２０を駆動する。
【００３６】
操作表示装置制御部６８０は、操作表示部６００とＣＰＵ回路部１５０との間で情報のやり取りを行う。操作表示部６００は、画像形成に関する各種機能を設定する複数のキー、設定状態を示す情報を表示するための表示部などを有し、各キーの操作に対応するキー信号をＣＰＵ回路部１５０に出力するとともに、ＣＰＵ回路部１５０からの信号に基づき対応する情報を表示部に表示する。
【００３７】
（操作表示部）
図１２は図１の画像形成装置における操作表示部６００を示す図である。
【００３８】
操作表示装置６００には、画像形成動作を開始するためのスタートキー６０２、画像形成動作を中断するためのストップキー６０３、置数設定等を行うテンキー６０４〜６１２および６１４、ＩＤキー６１３、クリアキー６１５、リセットキー６１６などが配置されている。また、上部にタッチパネルが形成された液晶表示部６２０が配置されており、画面上にソフトキーを作成可能となっている。
【００３９】
例えば、本実施系における本画像形成装置では、フィニッシャ５００の後処理モードとしてノンソート（グループ）、ソート、ステイプルソート（綴じモード）などの各処理モードを有する。このような処理モードを設定する場合は操作表示装置６００からの入力操作により行われる。図１３（ａ）に示す初期画面でソフトキーである「ソータ」を選択すると、図１３（ｂ）に示すメニュー選択画面が表示部６２０に表示され、このメニュー選択画面を用いて処理モードの設定が行われる。また、図１３（ｂ）に示す画面で「ステイプル」を選択すると図１３（ｃ）に示すステイプル箇所設定画面が表示部６２０に表示される。上記「ステイプル」が選択された際の詳細については後述する。
【００４０】
（手差し給紙モード）
次に、手差しトレイ１０５から給紙した用紙に画像形成を行う手差しモードについて図１４および図１５を参照しながら説明する。図１４は操作表示部６００での設定および表示の流れを説明する図である。図１５は用紙の流れを説明する図である。
【００４１】
手差しトレイ１０５上にセットされた用紙に対して画像形成を行う場合、図１３（ａ）に示す初期画面でソフトキーである「用紙選択」を選択すると、表示部６２０が図１４（ａ）に示すような用紙選択画面に切り替わり、カセット１０１ａ〜ｄおよび手差しトレイ１０５にセットされている用紙サイズ等が表示される。ここで、「手差し」を選択し、「ＯＫ」キーが押されると、図１４（ｂ）に示す初期画面に戻り、表示部６２０には手差しトレイが選択されていることが表示される。
【００４２】
そして、テンキー６０４〜６１２により置数設定等が行われた後、スタートキー６０２が押下されると、画像形成動作を開始する。手差し給送ローラ１０６が手差しトレイ１０５に積載された用紙束の上面に当接し、用紙束の最上紙からプリンタ３００内へと用紙の搬送を開始し、手差し分離ローラ対１０７で最上紙一枚のみを分離し搬送する。分離ローラ対の下流にはフラッパ１３０が設けられており、図１５（ａ）に示すように、フラッパ１３０により用紙は搬送パス１４７へ導かれ、レジストローラ１１３に先端が突き当たるまで搬送される。その後、図１５（ｂ）に示すように、前述した画像形成時の動作と同様に転写部１１８から定着部１２１に搬送され、フラッパ１３３により搬送パス１４２へ導かれ、排出ローラ１１１を経てプリンタ１００から外部（フィニッシャ５００）に向けて排出される。
【００４３】
（表紙合紙モード）
次に、本画像形成装置の表紙合紙モードについて図１６、図１７および図１８〜図２２を参照しながら説明する。図１６は操作表示部６００での設定および表示の流れを説明する図である。図１８〜図２２は用紙の流れを説明する図である。
【００４４】
図１３（ａ）に示す初期画面でソフトキーである「応用モード」を選択すると、表示部６２０が図１６（ａ）に示すような各種モードを選択する画面に切り替わる。ここで、「表紙／合紙」を選択すると図１６（ｂ）に示すような表紙モードと合紙モードのいずれかが選択可能な画面に切り替わる。表紙モードとは図１７（ａ）のように一部毎の用紙束の先頭頁に指定された用紙を挿入するモードであり、合紙モードとは図１７（ｂ）のように一部毎の用紙束の任意の頁に指定された用紙を挿入するモードである。例えば、白黒出力の画像形成装置の記録紙の束にカラー出力された用紙を挿入する場合などに設定される。
【００４５】
そして、図１６（ｂ）の画面で表紙モードが選択された場合、表示部６２０は図１６（ｃ）に示すような挿入する用紙の給紙箇所を選択する画面に切り替わる。選択後、図１６（ｄ）に示す初期画面に戻る。また、合紙モードが選択された場合、用紙束の何頁目に用紙を挿入するかを設定するために、図１６（ｅ）の合紙ページ選択画面に切り替わり、テンキー６０４〜６１２で入力を行う。入力後に「ＯＫ」キーが押されると、図１６（ｃ）に示すような挿入する用紙の給紙箇所を選択する画面に切り替わる。選択後、図１６（ｄ）に示す初期画面に戻る。本実施例（図１６（ｃ）および（ｄ））では、挿入される用紙は手差しトレイ１５０上にセットされた用紙を給紙するため、表示部６２０には手差しトレイが選択されていることが表示されている。図１６（ｃ）にてカセットが選択された場合は、図１６（ｄ）にて、選択されたカセットが表される。
【００４６】
次に、合紙モードでの用紙の流れについて図１８〜２２を参照しながら説明する。図１８〜２２では、カセット１０１ａから給紙した1頁目と３頁目の用紙に画像形成を行い、２頁目に手差しトレイ１５０から給紙した用紙を挿入する場合の例を説明する。
【００４７】
カセット１０１ａから給送ローラ１０２ａにより搬送された用紙は、レジストローラ１１３まで搬送された後、転写部１１８から定着部１２１へ搬送されフラッパ１３３により搬送パス１４２へ導かれる。これと同時に、合紙として２頁目に挿入される用紙は、手差し給送ローラ１０６および手差し分離ローラ対１０７により手差しトレイ１５０上に表面を上向き（フェイスアップ）に積載された用紙束の最上紙をプリンタ３００内へと搬送し、フラッパ１３０により搬送パス１４８へと導かれる。そして、両面搬送ローラ対（合紙レジストローラ）１０８に先端が突き当たるまで搬送される。両面搬送ローラ対１０８はレジストローラ１１３と同様の機能をなし、手差しトレイ１０５から給紙された用紙の傾きを補正する事が出来る（図１８参照）。
【００４８】
その後、画像形成された１頁目の用紙は排出ローラ１１１を経てプリンタ１００からフィニッシャ５００へ搬送され。挿入される２頁目は両面搬送パス１４５からフラッパ１３３により、搬送パス１４３へと導かれる。また、カセット１０１ａから給紙された次に画像形成される３頁目の用紙が、１頁目同様にレジストローラ１１３まで搬送される（図１９参照）。
【００４９】
そして、１頁目の用紙はフィニッシャ５００内の中間処理トレイ上に排出され、挿入される２頁目の用紙は搬送パス１４３を搬送され用紙後端がフラッパ１３４を抜けると反転ローラ１１２にニップされた状態で停止する（図２０参照）。フラッパ１３４が切り替えられ、反転ローラ１１２が逆転駆動されると用紙は搬送パス１４３から反転パス１４９へと導かれた後、排出ローラ１１１を経てプリンタ１００からフィニッシャ５００に向けて搬送される（図２１参照）。
【００５０】
そして、フィニッシャ５００に搬送された２頁目の挿入される用紙は、中間処理トレイ上で１頁目の用紙の上に積載される。この間に、次に画像形成される３頁目の用紙はレジストローラ１１３から転写部１１８および定着部１２１へ搬送されている（図２２参照）。フィニッシャ５００の中間処理トレイ上に、画像形成された１頁目および３頁目は画像面を下向き（フェイスダウン）で排出される、挿入された２頁目も手差しトレイ１５０上で表面を上向き（フェイスアップ）であっても中間処理トレイ上には表面を下向き（フェイスダウン）で排出されるので頁順が合う。その後、中間処理トレイかスタックトレイ５０７へと排出される。
【００５１】
表紙モードの場合も、合紙モードの場合と同様の搬送パスで用紙を搬送することで頁順が合う。
【００５２】
次に、挿入するシートの給紙箇所が各カセット１０１に指定された場合を図３を用いて説明する。カセット１０１から給送ローラ１０２により搬送された用紙は、レジストローラ１１３まで搬送された後、転写部１１８から定着部１２１へ搬送されフラッパ１３３により搬送パス１４２へ導かれる。
【００５３】
カセット１０１から搬送パス１４７に導かれ給紙された用紙は、レジストローラ１１３に用紙先端を突き当てられ、一旦停止した後、この用紙は感光ドラム１１５と転写部１１８との間から定着部１２１へと搬送される。表紙合紙モードのため、感光ドラム１１５には現像剤像は形成されず、転写部１１８から定着部１２１へと搬送される。定着部１２１を通過した用紙はフラッパ１３３により、搬送パス１４２へ導かれ、排出ローラ１１１を経てプリンタ１００から外部（フィニッシャ５００）に向けて排出される。
【００５４】
（ステイプルモード）
次に、本画像形成装置のステイプルモードについて図１３、図２３、図２４、および図２６を参照しながら説明する。図１３、図２６は表示部での設定を説明する図である。図２３はステイプル位置と画像回転処理の関係を説明する図である。図２４は表紙合紙モードとステイプルモードが組み合わせて選択されたときの制御手順を示す図である。
【００５５】
ステイプルモードを設定する場合は操作表示装置６００からの入力操作により行われる。図１３（ａ）に示す初期画面で「ソータ」キーを選択すると、図１３（ｂ）に示すメニュー選択画面が表示部６２０に表示される。図１３（ｂ）において、「ステイプル」キーが選択され、「ＯＫ」キーが押下されると、図１３（ｃ）に示すステイプル箇所を設定する画面が表示される。この画面においてシートのどの箇所にステイプル処理を行うかを選択し、「ＯＫ」キーが押下されると、出力されたシート束にステイプル処理を施すステイプルモードが設定され、図１３（ａ）に示す初期画面に戻る。
【００５６】
シート束の左右のどちらか片側にしかステイプル処理を行えないフィニッシャにおいて、画像信号制御部２８１にて画像回転処理を行うことで、任意の位置にステイプル処理を行うことができる。例えば、図２３に示すように、ステイプル箇所に左上、左下が選択された場合はステイプルが選択されていない場合に対して１８０度画像回転し、ステイプル箇所に右上、右下が選択された場合は画像回転を行わない。
【００５７】
表紙合紙モードが選択された場合の制御手順を、図２４を用いて説明する。図１３（ａ）に示す初期画面で「応用モード」を選択すると、表示部６２０が図１６（ａ）に示すような各種モードを選択する画面に切り替わる。ここで、「表紙／合紙」を選択すると図１６（ｂ）に示すような表紙、合紙モードのいずれかが選択可能な画面に切り替わる。図１６（ｂ）の画面において、「表紙」もしくは「合紙」キーが選択されると、表紙合紙モードの設定が開始される（Ｓ１００１）。ステイプルモードが設定されていない場合は（S１００２）、前述したようにフィニッシャ５００の中間処理トレイ上で、ステイプラ５０４は挿入するシートに対して横方向に移動可能であり、選択できるステイプル箇所はシートの片側のみとなるので（図２５参照）、ステイプル不可能な位置の選択を禁止するためにステイプル禁止箇所を表示させない設定（マスク処理）を行う（S１００３）。図１６（ｃ）に示す挿入シートの給紙箇所を設定する画面で給紙箇所の選択を行い、表紙合紙モードの設定を終了する（Ｓ１００７）。既にステイプルモードが設定されていて画像回転をともなうステイプル箇所（左上、左下）が選択されている場合（Ｓ１００４）、図１６（ｃ）に示す挿入シートの給紙箇所を設定する画面で給紙箇所の選択を行い、表紙合紙モードの設定を終了する（Ｓ１００７）。ステイプルモードの設定で画像回転をともなわないステイプル位置（右上、右下）が選択されている場合（S１００４）、図２６に示すような警告メッセージを表示部６２０に表示する（Ｓ１００５）。「OK」キーを押下すると（S１００６）、図１６（ｃ）に示す挿入シートの給紙箇所を設定する画面で給紙箇所の選択を行い、表紙合紙モードの設定を終了する（Ｓ１００７）。
【００５８】
次に、表紙合紙モードが設定されていてステイプルモードが選択された場合、図２７に示すステイプル箇所設定画面のように、表紙合紙モード設定時に設定ミスとなる可能性のあるステイプル箇所を選択できないようにマスク処理が行われているので、選択可能なステイプル箇所を選択し、ステイプルモードの設定を終了する。
【００５９】
（第二の実施形態）
第二の実施形態において、表紙合紙モードが選択された場合の制御手順を、図２８を用いて説明する。図１３（ａ）に示す初期画面で「応用モード」を選択すると、表示部６２０が図１６（ａ）に示すような各種モードを選択する画面に切り替わる。ここで、「表紙／合紙」を選択すると図１６（ｂ）に示すような表紙、合紙モードのいずれかが選択可能な画面に切り替わる。図１６（ｂ）の画面において、「表紙」もしくは「合紙」キーが選択されると、表紙合紙モードの設定が開始される（Ｓ１１０１）。ステイプルモードが設定されていない場合は（S１１０２）、ステイプル箇所のマスク処理を行い（S１１０３）、図１６（ｃ）に示す挿入シートの給紙箇所を設定する画面で給紙箇所の選択を行い、表紙合紙モードの設定を終了する（S１１０６）。ステイプルモードが設定され画像回転をともなうステイプル箇所（左上、左下）が選択されている場合（S１１０４）、図１６（ｃ）に示す挿入シートの給紙箇所を設定する画面で給紙箇所の選択を行い、表紙合紙モードの設定を終了する（Ｓ１１０６）。画像回転をともなわないステイプル位置（右上、右下）が選択されている場合（S１１０４）、ステイプル設定を解除し（Ｓ１００５）、図１６（ｃ）に示す挿入シートの給紙箇所を設定する画面で給紙箇所の選択を行い、表紙合紙モードの設定を終了する（Ｓ１１０６）。
【００６０】
次に、表紙合紙モードが設定されていてステイプルモードが選択された場合、図２７に示すステイプル箇所設定画面のように、表紙合紙モード設定時に設定ミスとなる可能性のあるステイプル箇所へのマスク処理が行われているので、選択可能なステイプル箇所を選択し、ステイプルモードの設定を終了する。
【００６１】
（第三の実施形態）
第三の実施形態において、表紙合紙モードが選択された場合の制御手順を、図２９を用いて説明する。図１３（ａ）に示す初期画面で「応用モード」を選択すると、表示部６２０が図１６（ａ）に示すような各種モードを選択する画面に切り替わる。ここで、「表紙／合紙」を選択すると図１６（ｂ）に示すような表紙、合紙モードのいずれかが選択可能な画面に切り替わる。図１６（ｂ）の画面において、「表紙」もしくは「合紙」キーが選択されると、表紙合紙モードの設定が開始される（Ｓ１２０１）。ステイプルモードが設定されていない場合は（S１２０２）、ステイプル箇所のマスク処理を行い（S１２０３）、図１６（ｃ）に示す挿入シートの給紙箇所を設定する画面で給紙箇所の選択を行い、表紙合紙モードの設定を終了する（S１２０８）。既にステイプルモードが設定され画像回転をともなうステイプル箇所（左上、左下）が選択されている場合（S１２０４）、図１６（ｃ）に示す挿入シートの給紙箇所を設定する画面で給紙箇所の選択を行い、表紙合紙モードの設定を終了する（Ｓ１２０８）。ステイプルモードの設定で画像回転をともなわないステイプル位置（右上、右下）が選択されている場合（S１２０４）、設定ミスとなる可能性のあるステイプル箇所をマスク処理し（Ｓ１２０５）、再度、図２７に示すようにステイプル可能な位置のみを選択可能なステイプル設定画面に遷移し、ステイプル箇所の再設定を行う（Ｓ１２０６）。再設定終了後、図１６（ｃ）に示す挿入シートの給紙箇所を設定する画面で給紙箇所の選択を行い、表紙合紙モード設定を終了する（Ｓ１２０８）。
【００６２】
次に、表紙合紙モードが設定されていてステイプルモードが選択された場合、図２７に示すステイプル箇所設定画面のように表紙合紙モード設定時に設定ミスとなる可能性のあるステイプル箇所へのマスク処理が行われているので、選択可能なステイプル箇所を選択し、ステイプルモードの設定を終了する。
【００６３】
（第四の実施形態）
第四の実施形態において、表紙合紙モードが選択された場合の制御手順を、図３０を用いて説明する。図１３（ａ）に示す初期画面で「応用モード」を選択すると、表示部６２０が図１６（ａ）に示すような各種モードを選択する画面に切り替わる。ここで、「表紙／合紙」を選択すると図１６（ｂ）に示すような表紙、合紙モードのいずれかが選択可能な画面に切り替わる。図１６（ｂ）の画面において、「表紙」もしくは「合紙」キーが選択されると、表紙合紙モードの設定が開始される（Ｓ１３０１）。先にステイプルモードが設定されていない場合（Ｓ１３０２）、図１６（ｃ）に示す表示画面で挿入するシートの給紙箇所を選択し、画像形成を先頭頁から順にフェイスダウン積載で行う設定がなされ、表紙合紙モードの設定を終了する。既にステイプルモードが設定されており（Ｓ１３０３）、画像回転をともなうステイプルなら（Ｓ１３０３）、図１６（ｃ）に示す表示画面で挿入するシートの給紙箇所を選択し、先頭頁処理とフェイスダウン積載が設定され、表紙合紙モードの設定を終了する。画像回転をともなわないステイプルなら（Ｓ１３０３）、最終頁処理とフェイスアップ積載の設定を行い、図１６（ｃ）に示す表示画面で挿入するシートの給紙箇所を選択し、表紙合紙モードの設定を終了する。
【００６４】
図１３（ｂ）の画面において、「ステイプル」キーが選択されると、ステイプルモードの設定が開始される（Ｓ１４０１）。先に表紙合紙モードが設定されていない場合（Ｓ１３０２）、図１３（ｃ）に示す表示画面でステイプル箇所を選択し、先頭頁処理とフェイスダウン積載が設定され、ステイプルモードの設定を終了する。既に表紙合紙モードが設定されている場合（Ｓ１３０３）、図１３（ｃ）に示す表示画面でステイプル箇所を選択し、画像回転をともなうステイプル箇所が選択されたなら（Ｓ１４０３）、先頭頁処理とフェイスダウン積載が設定され、ステイプルモードの設定を終了する。画像回転をともなわないステイプル箇所が選択されたなら（Ｓ１４０３）、画像形成を最終頁から順に画像形成面を上向きに積載（フェイスアップ積載）で行う設定を行い（Ｓ１４０４）、ステイプルモードの設定を終了する（Ｓ１４０５）。
【００６５】
（フェイスアップ積載）
フェイスアップ積載の用紙の流れについて図３１〜３４を参照しながら説明する。各カセット１０１ａ〜１０１ｄ、または、手差給紙トレイ１０５から搬送パス１４７に導かれ給紙された用紙は、レジストローラ１１３に用紙先端を突き当てられ、一旦停止する。レーザ光の照射開始と同期したタイミングで、この用紙は感光ドラム１１５と転写部１１８との間に搬送され、感光ドラム１１５に形成された現像剤像が転写部１１８により給紙された用紙上に転写される。現像剤像が転写された用紙は定着部１２１に搬送され、熱圧されることによって現像剤像を用紙上に定着させる。定着部１２１を通過した用紙は、搬送パス１４１からフラッパ１３３が切り替わり、搬送パス１４３へと導かれ、反転ローラ１１２に用紙がニップされた状態で停止する。
【００６６】
そして、フラッパ１３４が切り替えられ、反転ローラ１１２が逆転駆動され、用紙は搬送パス１４９へと導かれ、ローラ１１１を経て、プリンタ１００から外部（フィニッシャ５００）に向けて排出される。
【００６７】
この時、一枚の用紙に対して画像形成した面がフェイスアップで排出されるので、図３５に示すようにプリンタ１００から外部に排出された時の頁順を合わせる為に、最終頁から画像形成を行う。
【００６８】
（表紙、合紙モード）
次に、本実施例における本画像形成装置の合紙モードの用紙の流れについて、図３６〜図３９を参照しながら説明する。図３６〜図３９では、カセット１０１ａから給紙した1頁目と３頁目の用紙に画像形成を行い、２頁目に手差しトレイ１５０から給紙した用紙を挿入する場合の例を説明する。
【００６９】
本実施例では、画像面を上向き（フェイスアップ）で積載するため、最終頁（３頁）から画像形成を行う。カセット１０１ａから給送ローラ１０２ａにより搬送された用紙（３頁目）は、レジストローラ１１３まで搬送された後、転写部１１８から定着部１２１へ搬送されフラッパ１３３により搬送パス１４３へ導かれ、反転ローラ１１２に用紙がニップされた状態で停止する（図３６参照）。
【００７０】
これと同時に、合紙として２頁目に挿入される用紙は、手差し給送ローラ１０６および手差し分離ローラ対１０７により手差しトレイ１５０上にフェイスアップで積載された用紙束の最上紙をプリンタ３００内へと搬送し、フラッパ１３０により搬送パス１４８へと導かれる。そして、両面搬送ローラ対（合紙レジストローラ）１０８に先端が突き当たるまで搬送される。
【００７１】
その後、画像形成された３頁目の用紙は、フラッパ１３４が切り替えられ、反転ローラ１１２が逆転駆動され、用紙は搬送パス１４９へと導かれ、ローラ１１１を経て、プリンタ１００からフィニッシャ５００へ搬送され、挿入される２頁目は両面搬送パス１４５からフラッパ１３２、１３３により、搬送パス１４２へと導かれる。また、カセット１０１ａから給紙された次に画像形成される１頁目の用紙が、３頁目同様にレジストローラ１１３まで搬送される（図３７参照）。
【００７２】
そして、３頁目の用紙はフィニッシャ５００内の中間処理トレイ５０３上に画像面を上向き（フェイスアップ）で排出され、挿入される２頁目の用紙は搬送パス１４２を搬送され排出ローラ１１１を経てプリンタ１００からフィニッシャ５００に向けて搬送される（図３８参照）。
【００７３】
そして、フィニッシャ５００に搬送された２頁目の挿入される用紙は、中間処理トレイ５０３上で３頁目の用紙の上に積載される。この間に、次に画像形成される１頁目の用紙はレジストローラ１１３から転写部１１８および定着部１２１へ搬送されている（図３９参照）。フィニッシャ５００の中間処理トレイ５０３上に、画像形成された１頁目および３頁目はフェイスアップで排出される、挿入された２頁目もフェイスアップで中間処理トレイ上に排出されるので頁順が合う。その後、中間処理トレイ５０３かスタックトレイ５０７へと排出される。
【００７４】
表紙モードの場合も、合紙モードの場合と同様の搬送パスで用紙を搬送することで頁順が合う。
【００７５】
次に、挿入するシートの給紙箇所が各カセット１０１に指定された場合を図３を用いて説明する。カセット１０１から給送ローラ１０２により搬送された用紙は、レジストローラ１１３まで搬送された後、転写部１１８から定着部１２１へ搬送されフラッパ１３３により搬送パス１４２へ導かれる。
【００７６】
カセット１０１から搬送パス１４７に導かれ給紙された用紙は、レジストローラ１１３に用紙先端を突き当てられ、一旦停止した後、この用紙は感光ドラム１１５と転写部１１８との間から定着部１２１へと搬送される。表紙合紙モードのため、感光ドラム１１５には現像剤像は形成されず、転写部１１８から定着部１２１へと搬送される。定着部１２１を通過した用紙はフラッパ１３３により、搬送パス１４３へ導かれ、反転ローラ１１２に用紙がニップされた状態で停止する。そして、フラッパ１３４が切り替えられ、反転ローラ１１２が逆転駆動され、用紙は搬送パス１４９へと導かれ、ローラ１１１を経て、プリンタ１００から外部（フィニッシャ５００）に向けて排出される。
【００７７】
（ステイプルモード）
フェイスアップ積載とステイプル箇所について図４０を用いて説明する。図２３で示すとおり、画像回転を行うことにより、任意の位置にステイプル処理を行うことができるが、画像の向きは一定ではなくなる。そこで、図４０に示すように、フェイスアップ積載と画像回転を組み合わせることにより画像の方向を一定にしたまま任意の箇所にステイプル処理を行うことが出来る。
【図面の簡単な説明】
【００７８】
【図１】第１の実施例における実施全体構成図
【図２】全体のブロック図
【図３】片面モードの説明図
【図４】両面モードの説明図
【図５】両面モードの説明図
【図６】両面モードの説明図
【図７】両面モードの説明図
【図８】両面モードの説明図
【図９】両面モードの説明図
【図１０】両面モードの説明図
【図１１】中間処理トレイにシート束が積載された状態の説明図
【図１２】操作表示部の説明図
【図１３】後処理モード選択時の表示部の説明図
【図１４】手差しモード選択時の表示部の説明図
【図１５】手差しモードの説明図
【図１６】表紙合紙モード選択時の説明図
【図１７】表紙合紙モード時の用紙束の説明図
【図１８】表紙合紙モードの説明図
【図１９】表紙合紙モードの説明図
【図２０】表紙合紙モードの説明図
【図２１】表紙合紙モードの説明図
【図２２】表紙合紙モードの説明図
【図２３】ステイプル位置と画像回転処理の説明図
【図２４】第一の実施形態における制御手順のフローチャート
【図２５】挿入シートとステイプル位置の説明図
【図２６】警告時の表示部の説明図
【図２７】ステイプルモード設定時の表示部の説明図
【図２８】第二の実施形態における制御手順のフローチャート
【図２９】第三の実施形態における制御手順のフローチャート
【図３０】第四の実施形態における制御手順のフローチャート
【図３１】最終頁処理の説明図
【図３２】最終頁処理の説明図
【図３３】最終頁処理の説明図
【図３４】最終頁処理の説明図
【図３５】中間処理トレイにシート束が積載された状態の説明図
【図３６】第四の実施形態での表紙合紙モードの説明図
【図３７】第四の実施形態での表紙合紙モードの説明図
【図３８】第四の実施形態での表紙合紙モードの説明図
【図３９】第四の実施形態での表紙合紙モードの説明図
【図４０】ステイプル位置とフェイスアップ積載の説明図
【図１】
2005173481.tif 000003
【図２】
2005173481.tif 000004
【図３】
2005173481.tif 000005
【図４】
2005173481.tif 000006
【図５】
2005173481.tif 000007
【図６】
2005173481.tif 000008
【図７】
2005173481.tif 000009
【図８】
2005173481.tif 000010
【図９】
2005173481.tif 000011
【図１０】
2005173481.tif 000012
【図１１】
2005173481.tif 000013
【図１２】
2005173481.tif 000014
【図１３】
2005173481.tif 000015
【図１４】
2005173481.tif 000016
【図１５】
2005173481.tif 000017
【図１６】
2005173481.tif 000018
【図１７】
2005173481.tif 000019
【図１８】
2005173481.tif 000020
【図１９】
2005173481.tif 000021
【図２０】
2005173481.tif 000022
【図２１】
2005173481.tif 000023
【図２２】
2005173481.tif 000024
【図２３】
2005173481.tif 000025
【図２４】
2005173481.tif 000026
【図２５】
2005173481.tif 000027
【図２６】
2005173481.tif 000028
【図２７】
2005173481.tif 000029
【図２８】
2005173481.tif 000030
【図２９】
2005173481.tif 000031
【図３０】
2005173481.tif 000032
【図３１】
2005173481.tif 000033
【図３２】
2005173481.tif 000034
【図３３】
2005173481.tif 000035
【図３４】
2005173481.tif 000036
【図３５】
2005173481.tif 000037
【図３６】
2005173481.tif 000038
【図３７】
2005173481.tif 000039
【図３８】
2005173481.tif 000040
【図３９】
2005173481.tif 000041
【図４０】
2005173481.tif 000042